(57)【要約】【課題】配管の点検等を行うときに点検口蓋を工具を用いることなく容易に取り外すことができ、更に、点検口蓋を点検口に取付け施工するときにおいても工具を用いることなく容易に行うことができる点検口蓋の取付構造を提供する。【解決手段】点検口蓋６側に設けた蓋側受金具１９ａ，１９ｂ，１９ｃを、点検口５側に設けた点検口側受金具１６ａ，１６ｂ，１６ｃにそれぞれ係止させるようにして前面パネル４の縁部の裏面との間の隙間に差し込んで、点検口蓋６側に設けたマグネット１８ａ，１８ｂを点検口５側に設けたマグネット受部材１０ａ，１０ｂに磁力により吸着させて、点検口蓋６を点検口５に着脱自在に取付ける。【選択図】図４
2008291424.tif 000002
【特許請求の範囲】
【請求項１】
パネル板の裏面側に配設された配管系を点検するために設けた点検口を覆うようにして取付けられる点検口蓋の取付構造であって、
前記点検口蓋の裏面の一方側の縁部から突出するようにして蓋側受金具を設置するとともに、前記点検口蓋の裏面の他方側にマグネットを設置し、更に、前記点検口の一方側の側面に面する前記パネル板の縁部の裏面から前記点検口側に突出するようにして前記蓋側受金具が係止される位置に点検口側受金具を設置するとともに、前記点検口の他方側の側面に前記マグネットの位置に合わせてマグネット受部材を設置し、
前記点検口蓋の前記蓋側受金具を、前記点検口側の前記点検口側受金具に係止させるようにして前記パネル板の縁部の裏面側に形成された隙間に差し込んで位置決めし、前記マグネットを前記マグネット受部材に磁力により吸着させて、前記点検口蓋を前記点検口に着脱自在に取付ける、
ことを特徴とする点検口蓋の取付構造。
【発明の詳細な説明】
【技術分野】
【０００１】
本発明は、例えば、サニタリールームの洗面カウンター内や便器用カウンター内に配設された配管等を点検するための点検口に取付ける点検口蓋の取付構造に関する。
【背景技術】
【０００２】
サニタリールームの洗面カウンターの前面パネルの裏側には洗面用の配管が配設されており、また、便器用カウンターの前面パネルの裏側にも便器用の配管や給水タンクが配設されている。これらの配管は前面パネルの裏側に配設されているので、配管の点検等が容易に行えるように前面パネルに配管点検用の開口した点検口が設けられている（例えば、特許文献１参照）。
【０００３】
前記特許文献１では、通常時（配管の点検などを行わないとき）に前面パネルに設けた点検口が露出して見栄えが悪くならないように、着脱自在なペーパーホルダ等の蓋体でこの点検口を覆うようにしている。
【特許文献１】特開平１１−１８２０７６号公報
【発明の開示】
【発明が解決しようとする課題】
【０００４】
ところで、前記特許文献１では、点検口を覆うようにして点検口蓋としてのペーパーパホルダをビス留めして固定しているので、配管の点検時には固定している複数のビスを工具（ドライバ等）で外す必要があり、作業性が悪かった。また、点検口蓋としてのペーパーホルダを点検口に固定する際にも工具（ドライバ等）を用いてビス留め作業する必要があり、作業性が悪かった。
【０００５】
そこで、本発明は、配管の点検等を行うときに点検口蓋を工具を用いることなく容易に取り外すことができ、更に、点検口蓋を点検口に取付け施工するときにおいても工具を用いることなく容易に行うことができる点検口蓋の取付構造を提供することを目的とする。
【課題を解決するための手段】
【０００６】
前記目的を達成するために本発明は、パネル板の裏面側に配設された配管系を点検するために設けた点検口を覆うようにして取付けられる点検口蓋の取付構造であって、前記点検口蓋の裏面の一方側の縁部から突出するようにして蓋側受金具を設置するとともに、前記点検口蓋の裏面の他方側にマグネットを設置し、更に、前記点検口の一方側の側面に面する前記パネル板の縁部の裏面から前記点検口側に突出するようにして前記蓋側受金具が係止される位置に点検口側受金具を設置するとともに、前記点検口の他方側の側面に前記マグネットの位置に合わせてマグネット受部材を設置し、前記点検口蓋の前記蓋側受金具を、前記点検口側の前記点検口側受金具に係止させるようにして前記パネル板の縁部の裏面側に形成された隙間に差し込んで位置決めし、前記マグネットを前記マグネット受部材に磁力により吸着させて、前記点検口蓋を前記点検口に着脱自在に取付けることを特徴としている。
【発明の効果】
【０００７】
本発明に係る点検口蓋の取付構造によれば、点検口蓋の蓋側受金具を、点検口側に設けた点検口側受金具に係止させるようにしてパネル板の縁部の裏面側に形成された隙間に差し込んで位置決めし、マグネットをマグネット受部材に磁力により吸着させて、点検口蓋を点検口に着脱自在に取付けることにより、工具を用いることなく点検口蓋を点検口に着脱自在に容易に取付けることができる。
【発明を実施するための最良の形態】
【０００８】
以下、本発明に係る点検口蓋の取付構造を、図１〜図４に示した実施形態に基づいて説明する。
【０００９】
図１に示すように、サニタリールーム内に設置された便器ユニット１は、便器本体２と便器用カウンター３とで構成されており、便器用カウンター３内には、便器本体２に連結された不図示の配管、給水タンク等が配設されている。
【００１０】
便器用カウンター３の前面パネル４の一方側の側端には、内部の配管（不図示）の点検などを行うための点検口５が設けられており、この点検口５は、着脱自在に取付けられた板状の点検口蓋６により覆われている（点検口蓋６の取付構造については後述する）。前面パネル４と点検口蓋６の厚みは略同じである。便器用カウンター３の上面には、上面パネル３ａが設置されている。なお、図１において、符号７は、便器用カウンター３内の給水タンク（不図示）から便器本体２へ水を流すためのレバーである。
【００１１】
図２（ａ）、（ｂ）に示すように、点検口５の両側にはそれぞれ板材８，９が立設されており、板材８の内側面の上下２箇所には、金属製のマグネット受部材１０ａ，１０ｂがそれぞれ固着されている。マグネット受部材１０ａ，１０ｂは、図２（ｂ）に示すように、その先端側が板材８の前面よりも少し突出するように配置されている。
【００１２】
図２（ｂ）に示すように、板材８，９とその背面側に立設された各板材１１，１２との間には、枠材１３ａ，１３ｂがそれぞれ設置されており、板材８、枠材１３、板材１１の外側には、便器用カウンター３の側面パネル１４が設置されている。また、この側面パネル１４の外側には、サニタリールームの壁面パネル１５が所定の隙間を設けて設置されている。なお、図２（ａ）では、サニタリールームの壁面パネル１５が不図示であり、図２（ｂ）では、便器用カウンター３の上面パネル３ａが不図示である。
【００１３】
また、図２（ａ）、（ｂ）に示すように、前面パネル４の点検口５側の縁部の裏面には、所定間隔で配置された点検口側受金具１６ａ，１６ｂ，１６ｃの基端側が固着されており、点検口側受金具１６ａ，１６ｂ，１６ｃの先端側は板材９の前面側に突出している。前面パネル４の縁部裏面と板材９の側面は、Ｌ字形の固定金具１７をビス留めすることにより固定されている。なお、点検口側受金具１６ａ，１６ｂ，１６ｃの先端側と板材９の前面との間には、所定の隙間が設けられている。
【００１４】
図３に示すように、点検口蓋６の裏面の一方の側面の上下２箇所には、前記マグネット受部材１０ａ，１０ｂの位置に対応してマグネット１８ａ，１８ｂが固着されている。これにより、図２（ｂ）に示すように、点検口蓋６を点検口５に取付けたときに、マグネット１８ａ（マグネット１８ｂは不図示）がマグネット受部材１０ａ（マグネット受部材１０ｂは不図示）に磁力により吸着される。また、点検口蓋６の裏面の他方の側面には、３つの蓋側受金具１９ａ，１９ｂ，１９ｃの基端側がそれぞれ所定間隔で固着されており、各蓋側受金具１９ａ，１９ｂ，１９ｃの先端側が点検口蓋６の側面から突出するようにしている。各蓋側受金具１９ａ，１９ｂ，１９ｃは、点検口蓋６を点検口５に取付けたときに前記各点検口側受金具１６ａ，１６ｂ，１６ｃの上部側にそれぞれ係止される位置に設けられている。
【００１５】
次に、本実施形態に係る点検口蓋６の取付構造について説明する。
【００１６】
点検口蓋６を点検口５に取付ける場合は、図４（ａ）、（ｂ）に示すように、点検口蓋６の蓋側受金具１９ａ（蓋側受金具１９ｂ，１９ｃは不図示）を、板材９の前面側に突出している点検口側受金具１６ａ（点検口側受金具１６ｂ，１６ｃは不図示）の上部に係止させるようにして、板材９の前面と前面パネル４の縁部の裏側との間の隙間に差し込んで位置決めする。この際、蓋側受金具１９ｂ，１９ｃも同時に、点検口側受金具１６ｂ，１６ｃの上部にそれぞれ係止させるようにして、板材９の前面と前面パネル４の縁部の裏側との間の隙間に差し込む。
【００１７】
そして、点検口蓋６のマグネット１８ａ（マグネット１８ｂは不図示）を板材８に固着したマグネット受部材１０ａ（マグネット受部材１０ｂは不図示）に磁力により吸着させることにより、点検口蓋６が点検口５を覆うようにして着脱自在に取付けられる。
【００１８】
なお、便器用カウンター３内の配管（不図示）等を点検する際には、前記した点検口蓋６の取付け時とは逆に、点検口蓋６のマグネット１８ａ，１８ｂをマグネット受部材１０ａ，１０ｂから外すようにして、点検口蓋６のマグネット１８ａ，１８ｂ側を手前に引くことにより、点検口蓋６を点検口５から取り外すことができる。
【００１９】
このように、本実施形態に係る点検口蓋６の取付構造によれば、点検口蓋６側の各蓋側受金具１９ａ，１９ｂ，１９ｃを、点検口５側の各点検口側受金具１６ａ，１６ｂ，１６ｃの上部にそれぞれ係止させるようにして、板材９の前面と前面パネル４の端部の裏側との間の隙間に差し込んで、点検口蓋６側のマグネット１８ａ，１８ｂを点検口蓋６側のマグネット受部材１０ａ，１０ｂに磁力により吸着させることにより、工具を用いることなく点検口蓋６を点検口５に着脱自在に取付けることができる。
【００２０】
よって、便器用カウンター３内の配管の点検等を行うときに点検口蓋６を工具を用いることなく容易に取り外すことができ、更に、点検口蓋６を点検口５に取付け施工するときにおいても工具を用いることなく容易に行うことができる。
【００２１】
なお、前記実施形態では、便器用カウンター内の配管の点検等を行うための点検口蓋であったが、これ以外にも、例えば、洗面カウンターの内の配管の点検等を行うための点検口蓋においても同様に本発明を適用することができる。
【図面の簡単な説明】
【００２２】
【図１】本発明の実施形態に係る点検口蓋の取付構造を適用した便器ユニットの便器用カウンターを示す概略斜視図。
【図２】（ａ）は、便器用カウンターの点検口付近を示す正面図、（ｂ）は、便器用カウンターの点検口付近を示す平面図。
【図３】点検口蓋の裏面を示す図。
【図４】（ａ）、（ｂ）は、本発明の実施形態に係る点検口蓋の取付構造を示す図。
【符号の説明】
【００２３】
１        便器ユニット
２        便器本体
３        便器用カウンター
４        前面パネル（パネル板）
５        点検口
６        点検口蓋
１０ａ，１０ｂ      マグネット受部材
１６ａ，１６ｂ，１６ｃ      点検口側受金具
１８ａ，１８ｂ      マグネット
１９ａ，１９ｂ，１９ｃ      蓋側受金具
【図１】
2008291424.tif 000003
【図２】
2008291424.tif 000004
【図３】
2008291424.tif 000005
【図４】
2008291424.tif 000006